(57)【要約】【課題】大型化や強度の問題を回避することができると共に、操作性に優れた、新規な構造の弁付き針組立体を提供する。【解決手段】中空針１２の基端側に設けられた針ハブ１６の内部に弾性弁体１４が配されており、前方への移動で弾性弁体１４を押し開く筒状の押し子１００が設けられた弁付き針組立体１０において、弾性弁体１４の押し開き状態で弾性弁体１４へ挿し入れられる押し子１００の挿入領域１１２の外周面１１３が先細状とされて、弾性弁体１４の弾性による後方への押し戻し力が押し子１００へ及ぼされるようになっていると共に、押し子１００の前方への移動により変形されるばね部材１２２が設けられて、弾性弁体１４の押し開き状態で変形されたばね部材１２２の復元力が押し子１００に対して後方への戻し力として及ぼされるようになっている。【選択図】図３
2019084260.tif 000002
【特許請求の範囲】
【請求項１】
中空針の基端側に設けられた針ハブの内部に弾性弁体が配されており、前方への移動で該弾性弁体を押し開く筒状の押し子が設けられた弁付き針組立体において、
前記弾性弁体の押し開き状態で該弾性弁体へ挿し入れられる前記押し子の挿入領域の外周面が先細状とされて、該弾性弁体の弾性による後方への押し戻し力が該押し子へ及ぼされるようになっていると共に、
該押し子の前方への移動により変形されるばね部材が設けられて、該弾性弁体の押し開き状態で変形された該ばね部材の復元力が該押し子に対して後方への戻し力として及ぼされるようになっていることを特徴とする弁付き針組立体。
【請求項２】
前記押し子の外周面に設けられた外周突部と、前記針ハブの内周面に設けられた内周突部とが相互に当接することで該押し子の基端側への移動端が規定されるようになっている請求項１に記載の弁付き針組立体。
【請求項３】
前記針ハブの内周面に突出する前方支持部が設けられている一方、前記押し子の軸方向中間部分には外周面に突出する後方支持部が設けられており、該前方支持部と該後方支持部との軸方向間に前記ばね部材が配されている請求項１又は２に記載の弁付き針組立体。
【請求項４】
前記押し子の挿入領域の外周面が先細状のテーパ面とされており、該テーパ面の傾斜角度が、１〜７５度の範囲内に設定されている請求項１〜３の何れか１項に記載の弁付き針組立体。
【請求項５】
前記押し子の外周面には先細状のテーパ面が設けられていると共に、該押し子の先端部分には、前記弾性弁体の押し開き状態で該弾性弁体を貫通して前方に突出する貫通先端部が設けられており、該貫通先端部の外周面を含んで該テーパ面が形成されている請求項１〜４の何れか１項に記載の弁付き針組立体。
【発明の詳細な説明】
【技術分野】
【０００１】
本発明は、血管に穿刺されて輸液や採血などに供される針組立体に係り、特に内部に弾性弁体と当該弾性弁体を押し開く押し子が設けられる弁付きの針組立体に関するものである。
【背景技術】
【０００２】
従来から、輸液や採血などを行う際に用いられる針組立体が知られている。この針組立体は中空針と当該中空針の基端側に設けられる針ハブとを備えており、中空針が患者の血管に穿刺されるとともに針ハブに外部流路が接続されることで、血管から針組立体の内部を通じて外部流路に至る流体流路が構成されて、当該流体流路を通じて輸液や採血などが実施されるようになっている。
【０００３】
ところで、針組立体の流体流路上に弾性弁体と軸方向に移動可能な押し子とを設けて、押し子の先端側および基端側への移動により弾性弁体を開閉せしめ、それに伴い流体流路を連通および遮断可能とした弁付きの針組立体があり、かかる弁付き針組立体が、特開２００８−１７３２０６号公報（特許文献１）において提案されている。特に、特許文献１に記載の弁付き針組立体では、針ハブと押し子との間にばね部材（コイルばね１６）が設けられており、外部流路の抜去時にばね部材の弾性的な復元力により押し子が後方（基端側）に押し戻されるようになっている。
【０００４】
すなわち、上記特許文献１では、押し子の基端側から外部流路を押し込んで押し子を先端側に移動させることで、ばね部材が圧縮変形せしめられるとともに、当該押し子が弾性弁体に挿入されて弾性弁体が押し開かれるようになっている。これにより、流体流路が連通されて輸液や採血などが実施される。一方、輸液や採血の終了時や中断時には、外部流路が抜去されることで、ばね部材の弾性的な復元変形により押し子が基端側に押し戻されて、弾性弁体が閉塞されるとともに流体流路が遮断されるようになっている。これにより、外部流路の抜去時における血液などの漏出が防止される。
【先行技術文献】
【特許文献】
【０００５】
【特許文献１】特開２００８−１７３２０６号公報
【発明の概要】
【発明が解決しようとする課題】
【０００６】
ところが、上記特許文献１では、ばね部材（コイルばね）の復元力のみにより押し子を基端側へ押し戻すことから、より確実に押し子を基端側に押し戻すために、より大きな復元力が必要であった。それ故、ばね部材が大型となり、弁付き針組立体においてばね部材の収容スペースを大きく確保する必要があったり、外部流路の挿入接続時に使用者が大きな抵抗感（ばね部材の反発感）を感じることがあって、特に女性が使用しにくいものであった。また、大きなばね力が局所的に針ハブや押し子に作用することから、ばね部材を支持する（大きなばね力を受ける）針ハブや押し子も大型とする必要があったり、小型の針ハブや押し子を設ける場合には、強度の観点において問題が生じるおそれがあった。
【０００７】
本発明は、上述の事情を背景に為されたものであって、その解決課題は、ばね部材、ひいては針組立体における大型化や大きなばね力の局所的な作用に伴う部材強度の問題を回避することができると共に、操作性に優れた、新規な構造の弁付き針組立体を提供することにある。
【課題を解決するための手段】
【０００８】
本発明の第１の態様は、中空針の基端側に設けられた針ハブの内部に弾性弁体が配されており、前方への移動で該弾性弁体を押し開く筒状の押し子が設けられた弁付き針組立体において、前記弾性弁体の押し開き状態で該弾性弁体へ挿し入れられる前記押し子の挿入領域の外周面が先細状とされて、該弾性弁体の弾性による後方への押し戻し力が該押し子へ及ぼされるようになっていると共に、該押し子の前方への移動により変形されるばね部材が設けられて、該弾性弁体の押し開き状態で変形された該ばね部材の復元力が該押し子に対して後方への戻し力として及ぼされるようになっていることを特徴とするものである。
【０００９】
本態様に従う構造とされた弁付き針組立体によれば、外部流路の抜去時において、弾性弁体の弾性的な復元力（押し戻し力）が押し子に及ぼされるとともに、ばね部材の弾性的な復元力が押し子に及ぼされることから、弾性弁体の復元力とばね部材の復元力とが協働して、押し子を基端側に戻すようになっている。これにより、前記特許文献１のようにばね部材の復元力のみで押し子を基端側に移動させることがなく、大きなばね部材の復元力を必要とすることが回避される。それ故、ばね部材の大型化やばね部材を支持する部材への影響が回避されるとともに、外部流路の挿入接続時において使用者が抵抗感（反発感）を感じるおそれも回避されて、良好な操作性が発揮され得る。
【００１０】
また、押し子の挿入領域が先細状とされていることから、例えば前記特許文献１のように押し子の外周面が略直線状とされている場合に比べて、弾性弁体の弾性的な復元力が押し子に対して基端側への押し戻し力として及ぼされ易く、押し子をスムーズ、且つ安定して基端側へ移動させることができる。
【００１１】
本発明の第２の態様は、前記第１の態様に係る弁付き針組立体において、前記押し子の外周面に設けられた外周突部と、前記針ハブの内周面に設けられた内周突部とが相互に当接することで該押し子の基端側への移動端が規定されるようになっているものである。
【００１２】
本態様に従う構造とされた弁付き針組立体によれば、押し子が弾性弁体とばね部材との弾性的な復元力により基端側へ戻されることとなるが、特に、例えばばね部材が勢いよく復元変形することに伴う針ハブからの押し子の脱落などが効果的に防止され得る。
【００１３】
本発明の第３の態様は、前記第１又は第２の態様に係る弁付き針組立体において、前記針ハブの内周面に突出する前方支持部が設けられている一方、前記押し子の軸方向中間部分には外周面に突出する後方支持部が設けられており、該前方支持部と該後方支持部との軸方向間に前記ばね部材が配されているものである。
【００１４】
本態様に従う構造とされた弁付き針組立体によれば、例えば押し子の先端部分の外周側にばね部材を配設することを回避することも可能となる。これにより、弾性弁体に挿入される挿入領域の形状がばね部材の配設によって制限されることがなく、挿入領域の形状設計自由度が向上され得る。
【００１５】
本発明の第４の態様は、前記第１〜第３の何れかの態様に係る弁付き針組立体において、前記押し子の挿入領域の外周面が先細状のテーパ面とされており、該テーパ面の傾斜角度が、１〜７５度の範囲内に設定されているものである。
【００１６】
本態様に従う構造とされた弁付き針組立体によれば、テーパ面の傾斜角度が上記範囲内に設定されることで、弾性弁体の弾性的な復元力が押し子の基端側への押し戻し力として効果的に及ぼされ得る。
【００１７】
本発明の第５の態様は、前記第１〜第４の何れかの態様に係る弁付き針組立体において、前記押し子の外周面には先細状のテーパ面が設けられていると共に、該押し子の先端部分には、前記弾性弁体の押し開き状態で該弾性弁体を貫通して前方に突出する貫通先端部が設けられており、該貫通先端部の外周面を含んで該テーパ面が形成されているものである。
【００１８】
本態様に従う構造とされた弁付き針組立体によれば、貫通先端部の外周面が先細状のテーパ面とされることから、押し子が基端側に移動する際にも、貫通先端部の外周面と弾性弁体とが相互に当接することで押し子に対して基端側への押し戻し力が安定して及ぼされ得る。
【発明の効果】
【００１９】
本発明に従う構造とされた弁付き針組立体によれば、弾性弁体の弾性的な復元力とばね部材の弾性的な復元力とが協働して押し子を基端側に戻すことから、押し子の基端側への移動が安定して実現され得る。また、ばね部材の復元力を従来より小さく設定することも可能であり、ばね部材、ひいては針組立体の小型化が促進されるとともに、ばね部材を支持する部材の強度なども小さく設定することが可能であり、操作性に優れた弁付き針組立体が提供され得る。
【図面の簡単な説明】
【００２０】
【図１】本発明の１実施形態としての弁付き針組立体を外部流路の接続前の状態で示す斜視図。
【図２】図１に示された弁付き針組立体の縦断面図。
【図３】図２における要部を拡大して示す縦断面図。
【図４】図１に示された弁付き針組立体を外部流路の接続状態で示す縦断面図。
【図５】図４における要部を拡大して示す縦断面図。
【発明を実施するための形態】
【００２１】
以下、本発明を更に具体的に明らかにするために、本発明の実施形態について、図面を参照しつつ、詳細に説明する。
【００２２】
先ず、図１〜３には、本発明の１実施形態としての弁付き針組立体１０が示されている。この弁付き針組立体１０は、先端側に中空針としてのカニューラ１２を備えているとともに、当該カニューラ１２の基端側に、弾性弁体としてのディスク弁１４が内部に収容配置される針ハブ１６を備えている。そして、これらカニューラ１２と針ハブ１６の内部を含んで内部流路１８が構成されている。かかるカニューラ１２が患者の血管に経皮的に挿し入れられて留置されることにより、内部流路１８を通じて輸液や採血が行われるようになっているとともに、針ハブ１６への外部流路の接続と抜去に伴い、ディスク弁１４の開放と閉塞、即ち内部流路１８の連通と遮断とが切り換えられるようになっている。なお、以下の説明において、軸方向とは、各部材の中心軸方向であって、中空針であるカニューラ１２の針軸方向に略相当し、長さ方向である図２中の左右方向をいう。また、先端側とは、カニューラ１２の穿刺される側である図２中の左側をいう一方、基端側とは、使用者が操作する側である図２中の右側をいう。
【００２３】
より詳細には、カニューラ１２は、本実施形態では、軟質の合成樹脂により形成されており、先端部分の外周面は、先端側に向かって次第に外径寸法が小さくなるテーパ状外周面２０とされている。また、カニューラ１２の先端部分の周壁には、複数の貫通孔２２が形成されており、当該貫通孔２２を通じて血液などがカニューラ１２内へ流入し易くされている。なお、カニューラ１２の材質は、軟質の合成樹脂に限定されるものではなく、例えば金属製であってもよい。
【００２４】
かかるカニューラ１２の基端部分は、針ハブ１６により固定支持されている。本実施形態の針ハブ１６は、カニューラ１２の基端部分が直接固定される針ハブ本体２４と、当該針ハブ本体２４の基端側に接続される弾性チューブ２６と、当該弾性チューブ２６の基端側に接続される接続コネクタ２８とを含んで構成されている。即ち、本実施形態の針ハブ１６は、針ハブ本体２４と弾性チューブ２６と接続コネクタ２８とが、軸方向で直列的に連結されている。
【００２５】
針ハブ本体２４は略筒状の周壁３０を備えており、例えば硬質の合成樹脂により形成される。そして、かかる針ハブ本体２４にカニューラ１２が挿通されて、カニューラ１２の基端部分が針ハブ本体２４に接着や溶着などにより固着されることで、針ハブ本体２４から先端側にカニューラ１２が延び出している。
【００２６】
この針ハブ本体２４の基端側には弾性チューブ２６が接続されている。当該弾性チューブ２６は、例えば軟質の合成樹脂により形成されて、弾性チューブ２６の先端部分が、針ハブ本体２４の基端側開口部において針ハブ本体２４の周壁３０とカニューラ１２とにより挟まれて、必要に応じて接着や溶着が施されることにより、針ハブ本体２４の基端側に弾性チューブ２６が接続されている。これにより、針ハブ本体２４に対してカニューラ１２や弾性チューブ２６が強固に固定されている。
【００２７】
かかる弾性チューブ２６の基端部分が、接続コネクタ２８の先端部分に固着されている。この接続コネクタ２８は、全体として略筒形状とされており、接続コネクタ２８の先端側開口部から弾性チューブ２６の基端部分が挿入されて、必要に応じて接着や溶着の処理が施されることにより、弾性チューブ２６と接続コネクタ２８とが相互に接続されている。すなわち、かかる接続コネクタ２８の先端部分が、弾性チューブ２６が接続されるチューブ接続部３２とされている。
【００２８】
そして、これらカニューラ１２、弾性チューブ２６、接続コネクタ２８（特に接続コネクタ２８の内部に設けられる後述する押し子１００）のそれぞれの内孔を含んで、カニューラ１２から接続コネクタ２８に至る内部流路１８が構成されている。
【００２９】
本実施形態の接続コネクタ２８は、何れも略円筒形状とされた外周コネクタ３４と内周コネクタ３６とが相互に内外挿されて固定された形状とされている。すなわち、外周コネクタ３４の基端側に内周コネクタ３６の先端側が挿し入れられて組み付けられることで、内周コネクタ３６の外周側に外周コネクタ３４が外挿された状態で固定されて、接続コネクタ２８が構成されている。したがって、接続コネクタ２８の周壁が、外周コネクタ３４の周壁３８と内周コネクタ３６の周壁４０とから構成されている。また、内周コネクタ３６の周壁４０において、外周コネクタ３４に挿し入れられる先端側の部分が、略円筒状の挿入部４２とされている一方、外周コネクタ３４の周壁３８において、内周コネクタ３６の挿入部４２が挿し入れられる基端側の部分が、略円筒状の被挿入部４４とされている。なお、これら挿入部４２と被挿入部４４は相互に逆に設けられてもよく、基端側に位置する外周コネクタ３４に、内周コネクタ３６の基端部分が挿入されてもよい。
【００３０】
そして、かかる内周コネクタ３６の基端が、外周コネクタ３４よりも、所定の軸方向寸法をもって基端側に延び出している。それ故、接続コネクタ２８の周壁は、外周コネクタ３４と内周コネクタ３６との連結部分である挿入部４２と被挿入部４４との内外挿部分で二重壁構造とされている一方、接続コネクタ２８の先端側の周壁が外周コネクタ３４の周壁３８で構成されているとともに、接続コネクタ２８の基端側の周壁が内周コネクタ３６の周壁４０で構成されている。すなわち、外周コネクタ３４の内周面４６における基端部分（被挿入部４４における内周面）４６ａと内周コネクタ３６の外周面４８における先端部分（挿入部４２における外周面）４８ａとが相互に重ね合わされることで、上記外周コネクタ３４と内周コネクタ３６とが内外挿されて二重壁構造とされている部分が構成されている。
【００３１】
外周コネクタ３４は、硬質の合成樹脂により形成されており、略筒状の周壁３８を備えている。かかる周壁３８の軸方向中間部分における内周面４６には、環状壁部５０が内周側に突出して形成されている。そして、外周コネクタ３４の先端側開口部から挿入された弾性チューブ２６の基端が、軸直角方向に広がる環状壁部５０の先端側端面に当接しており、外周コネクタ３４における環状壁部５０よりも先端側の部分により、弾性チューブ２６が接続されるチューブ接続部３２が構成されている。また、環状壁部５０の基端側端面が軸直角方向に広がっており、これにより、外周コネクタ３４の内周面４６には、環状の段差面５２が形成されている。
【００３２】
かかる外周コネクタ３４において、先端側であるチューブ接続部３２では、内径寸法が、軸方向の略全長に亘って略一定とされている。また、基端側である被挿入部４４では、内径寸法が、チューブ接続部３２よりも僅かに大きくされており、軸方向の略全長に亘って略一定とされている。なお、本実施形態では、外周コネクタ３４の内周面４６において、被挿入部４４の先端部分、即ち環状壁部５０に対して基端側に隣接する部分には、内周側に突出する押圧リブ５４が、周方向の全長に亘って、または周上で部分的に形成されている。
【００３３】
さらに、外周コネクタ３４の周壁３８における被挿入部４４において、径方向１方向の両側（図２中の上下方向両側）には、周壁３８を厚さ方向（径方向）で貫通する一対の係合孔５６，５６が形成されている。これらの係合孔５６，５６は、それぞれ平面視における形状が略矩形状とされており、１／２周に満たない周方向寸法をもって形成されている。また、外周コネクタ３４の周壁３８において、これら一対の係合孔５６，５６を周方向で外れた位置には、基端側開口部５８の開口縁から軸方向内方（先端側）に向かって延びる切欠き６０が形成されている。本実施形態では、一対の係合孔５６，５６の対向方向と直交する方向の両側（図２中の紙面手前奥方向両側）に一対の切欠き６０，６０が、所定の幅寸法をもって形成されている。なお、かかる切欠き６０の個数は２つ（一対）に限定されるものではなく、周上で１つまたは３つ以上設けられてもよい。
【００３４】
更にまた、外周コネクタ３４の被挿入部４４における内周面４６において、基端側開口部５８には、一対の傾斜面６２，６２が形成されている。これら傾斜面６２，６２は、係合孔５６，５６の対向する方向と同方向（図２中の上下方向両側）に形成されており、基端側開口部５８に向かって周壁３８の厚さ寸法が次第に小さくなっている。そして、かかる傾斜面６２，６２と、当該傾斜面６２，６２の周方向両側の壁部により、外周コネクタ３４の基端側開口部５８には、内周側に開口する一対の傾斜溝６４，６４が形成されている。なお、傾斜面６２，６２の幅方向寸法は、係合孔５６，５６の幅方向寸法と略等しくされており、係合孔５６，５６と傾斜溝６４，６４とが、外周コネクタ３４の周壁３８において、周上の対応する位置で周上部分的に形成されている。すなわち、傾斜溝６４，６４の先端側に係合孔５６，５６が形成されている。
【００３５】
一方、内周コネクタ３６は、硬質の合成樹脂により形成されており、外周コネクタ３４の周壁３８よりも小径の周壁４０を備えている。この周壁４０は、内径寸法および外径寸法が軸方向の略全長に亘って略一定とされている。
【００３６】
すなわち、内周コネクタ３６（周壁４０）の内周面６６において、軸方向中間部分には、環状の内周突部としての係合突部６８が内周側に突出して形成されている。そして、かかる内周コネクタ３６の内周面６６において、係合突部６８よりも先端側は、後述する押し子１００の軸方向移動をガイドする案内面７０とされており、内径寸法が略一定とされている。一方、係合突部６８よりも基端側は、内径寸法が基端側へ向かって次第に大きくなるテーパ状面７２とされている。
【００３７】
また、内周コネクタ３６の外周面４８における先端部分４８ａ、即ち挿入部４２における外周面４８ａは、その最先端部分において外径寸法が小さくされており、これにより、内周コネクタ３６の先端部分には、先端側に突出する略筒状の支持筒部７４が形成されている。
【００３８】
更にまた、挿入部４２の外周面４８ａには、外周側に突出する係合突起７６が設けられている。本実施形態では、径方向１方向の両側（図２中の上下方向両側）に、一対の係合突起７６，７６が形成されている。これら係合突起７６，７６の平面視における形状は、外周コネクタ３４における係合孔５６，５６と略対応する略矩形状とされている。そして、係合突起７６，７６の先端側端面が、先端側に向かって係合突起７６，７６の突出高さが次第に小さくなる傾斜面７８，７８とされている一方、基端側端面が、略軸直角方向に広がる垂直面８０，８０とされている。なお、係合突起７６，７６における傾斜面７８，７８の軸方向に対する傾斜方向は、傾斜溝６４，６４における傾斜面６２，６２の軸方向に対する傾斜方向と等しくされている。本実施形態では、これら両傾斜面６２，７８の軸方向に対する傾斜角度も略等しくされており、傾斜面６２と傾斜面７８とが軸方向で相互に略平行とされている。かかる係合突起７６や係合孔５６の個数は、２つ（一対）に限定されるものではなく、周上で１つまたは３つ以上設けられてもよい。
【００３９】
さらに、挿入部４２の外周面４８ａにおいて、一対の係合突起７６，７６の対向する方向と直交する方向の両側（図２中の紙面手前奥方向の両側）には、外周コネクタ３４における切欠き６０，６０と略対応する形状とされた一対の位置決め突起８２，８２が突出形成されている。
【００４０】
なお、内周コネクタ３６において、挿入部４２よりも基端側は、挿入部４２と略等しいか僅かに小さい外径寸法をもって略ストレートに延びているとともに、基端側開口部８４には、外周側に突出する略環状のフランジ部８６が形成されている。当該フランジ部８６の外周面には雄ねじが形成されており、後述する外部流路（シリンジ１２４）の接続時において、ルアーロックタイプの外部流路を接続することが可能とされている。また、本実施形態では、かかるフランジ部８６の周上の一部（図２中の上方）において、軸方向に延びる位置決め凹溝８８が形成されている。これにより、例えば本実施形態の弁付き針組立体１０を外針ユニットとして、図示しない内針ユニットと組み合わせて留置針組立体として使用する際に、内針ユニットを構成する内針ハブから先端側に突出する位置決め凸部が位置決め凹溝８８に差し入れられることで、内針ユニットと外針ユニット（弁付き針組立体１０）との相対回転が防止されるようになっている。
【００４１】
ここで、接続コネクタ２８の内部において、外周コネクタ３４と内周コネクタ３６との間には、ディスク弁１４が収容配置されている。このディスク弁１４は、略円板形状とされており、ゴムやエラストマーなどの弾性を有する材質により形成されている。そして、当該ディスク弁１４の中央部分９０には、軸方向で貫通するスリット９２が形成されている。このスリット９２の形状は限定されるものではないが、本実施形態では、周方向の三方に略均等（略１２０°毎）に延びる放射状とされている。
【００４２】
なお、接続コネクタ２８に組み付けられる以前のディスク弁１４の単品状態では、ディスク弁１４の外径寸法が外周コネクタ３４の、特に押圧リブ５４の形成位置における内径寸法より大きくされており、接続コネクタ２８に組み付けられることで、押圧リブ５４によりディスク弁１４に対して外周側から内周側に向かって径方向の押圧力が及ぼされて、スリット９２が安定して閉塞状態とされるようになっている。すなわち、外周コネクタ３４の内周面４６（４６ａ）に設けられた押圧リブ５４により、ディスク弁１４の外周面が内周側に圧縮されるようになっている。
【００４３】
かかるディスク弁１４の外周部分には、基端側に延びる筒状支持部９４が設けられている。また、ディスク弁１４の基端側面９６における外周部分において、筒状支持部９４よりも内周側には、周方向の全周に亘って連続して延びるとともに基端側に開口する環状の周溝９８が形成されている。尤も、かかる筒状支持部９４は必須なものではない。また、周溝９８は必須なものではなく、ディスク弁１４の基端側面９６に支持筒部７４の先端を押し込むことで周溝９８が形成されるようになっていてもよい。
【００４４】
ここで、内周コネクタ３６の内周側において、ディスク弁１４よりも基端側には、筒状の押し子１００が収容されており、当該押し子１００の中央には、軸方向に貫通する内孔１０２が形成されている。
【００４５】
かかる押し子１００の内径寸法は、軸方向の略全長に亘って略一定とされている一方、押し子１００の外周面１０３には、軸方向中間部分において、軸直角方向に広がる環状の段差面１０４が形成されている。すなわち、押し子１００の外径寸法は、当該段差面１０４に対して先端側に隣接する部分が、基端側に隣接する部分よりも大径とされており、段差面１０４よりも基端側が、略一定の外径寸法とされたストレート状外周面１０６とされている。一方、段差面１０４よりも先端側は、当該段差面１０４に対して先端側に隣接する部分を最大外径部分として、先端側に向かって次第に小径となるテーパ面としてのテーパ状外周面１０８とされている。したがって、押し子１００の外周面１０３が、段差面１０４とストレート状外周面１０６とテーパ状外周面１０８とを含んで構成されている。また、かかるテーパ状外周面１０８の形成部位における基端部分が、それよりも基端側に位置するストレート状外周面１０６よりも外周側に突出する環状の外周突部１１０とされており、即ち当該外周突部１１０の基端側端面が段差面１０４とされている。
【００４６】
なお、本実施形態の押し子１００では、段差面１０４よりも先端側における内径寸法が、先端側に向かって次第に小径となっている。これにより、先細形状とされる押し子１００の先端部分においてもある程度の径方向寸法を確保することができて、後述するディスク弁１４への挿入時における破損が回避されるなど、押し子１００の先端部分における耐久性の向上が図られている。
【００４７】
そして、本実施形態では、後述するように、押し子１００における段差面１０４よりも先端側、即ちテーパ状外周面１０８の先端部分が、外部流路（シリンジ１２４）の接続時において押し子１００が先端側に移動せしめられた際にディスク弁１４に挿入される挿入先端部分（図５参照）とされている。また、本実施形態では、内部流路１８の連通状態（押し子１００が先端側に移動してディスク弁１４が押し開かれた状態）下において、押し子１００の最先端部（後述する貫通先端部１２８）がディスク弁１４から更に先端側に突出している。これにより、かかる弾性弁体（ディスク弁１４）の押し開き状態下において、ディスク弁１４に対して当接状態とされた挿入領域１１２は、押し子１００においてテーパ状外周面１０８とされた先端部分のうち、軸方向中間部分に設定されている（図５参照）。
【００４８】
本発明では、後述するように、かかる挿入領域１１２においてテーパ面や段差面などにより先細状とされた部分が設けられて、押し開き状態に保持されたディスク弁１４が、これらテーパ面および／または段差面と当接するようになっていればよい。なお、本実施形態では、テーパ状外周面１０８における基端側傾斜面１１６（後述）の軸方向中間部分から先端側傾斜面１１４（後述）の軸方向中間部分においてが、弾性変形せしめられたディスク弁１４に当接する挿入領域１１２とされており、当該挿入領域１１２の外周面が、全体として先細状のテーパ面１１３（図５参照）とされている。そして、かかる挿入領域１１２の外周面（テーパ面１１３）を含んでテーパ状外周面１０８が構成されている。なお、かかる挿入領域１１２と後述する貫通先端部１２８を含めた部分（図５中の挿入先端部分）の軸方向寸法は何等限定されるものではないが、押し子１００の先端から２ｍｍ以上であることが好ましく、より好ましくは４ｍｍ以上において外周面がテーパ状とされる。また、押し子１００の先端から２ｍｍ〜８ｍｍの範囲内の外周面がテーパ状とされることが好適であり、より好適には４ｍｍ程度、例えば５ｍｍ〜６ｍｍの範囲内とされる。
【００４９】
すなわち、本実施形態では、テーパ状外周面１０８が、全体として先細形状として形成されており、それぞれ先細形状とされた先端側傾斜面１１４と基端側傾斜面１１６と、これら両傾斜面１１４，１１６をテーパ状外周面１０８（挿入領域１１２）の軸方向中間部分において接続する先細形状の急傾斜面１１８とを含んで構成されている。要するに、テーパ状外周面１０８において、急傾斜面１１８よりも先端側には相対的に小径とされた先細形状の先端側傾斜面１１４が設けられているとともに、急傾斜面１１８よりも基端側には相対的に大径とされた先細形状の基端側傾斜面１１６が設けられている。これら先端側傾斜面１１４、基端側傾斜面１１６、急傾斜面１１８は、それぞれ周方向の全周に亘って延びる環状テーパ面とされている。なお、基端側傾斜面１１６が先端側傾斜面１１４よりも外周側に突出していることから、例えばテーパ状外周面１０８が先端側傾斜面１１４の傾斜角度と等しい単一の傾斜角度を有する場合に比して、ディスク弁１４への押し子１００の挿入時におけるシール性の向上も図られ得る。
【００５０】
これら先端側傾斜面１１４、基端側傾斜面１１６、急傾斜面１１８の軸方向に対する傾斜角度α，β，γ（図３参照）は、何れも何等限定されるものではないが、本実施形態では、各傾斜角度α，β，γが、それぞれ０度〜９０度の範囲内に設定されている。特に、急傾斜面１１８における軸方向に対する傾斜角度γが、先端側傾斜面１１４および基端側傾斜面１１６における軸方向に対する傾斜角度α，βよりも大きくされている（α＜γ，β＜γ）。また、先端側傾斜面１１４における軸方向に対する傾斜角度αが、基端側傾斜面１１６における軸方向に対する傾斜角度βよりも大きくされている（β＜α）。さらに、これら先端側傾斜面１１４、基端側傾斜面１１６、急傾斜面１１８が、軸方向でそれぞれ略一定の傾斜角度を有している。
【００５１】
なお、かかる挿入領域１１２の外周面（テーパ面１１３）において、水平方向に対する傾斜角度θ（図５参照）は、１度〜７５度の範囲内に設定されることが好適であり、より好適には、５度〜７５度の範囲内に設定される。テーパ面１１３の傾斜角度θが上記範囲内に設定されることにより、後述するように、シリンジ１２４の抜去時において押し子１００に対して基端側への移動力を有効に及ぼすことができる。ここで、テーパ面１１３の傾斜角度θとは、挿入領域１１２の先端と基端とを仮想的に結ぶ直線の傾斜角度であって、例えば先端側傾斜面１１４や基端側傾斜面１１６、急傾斜面１１８の傾斜角度α，β，γの何れか１つまたは複数が部分的に上記範囲内から外れていてもよい。
【００５２】
尤も、テーパ状外周面１０８は、本実施形態のように軸方向で傾斜角度を異ならせる必要はなく、軸方向の略全長に亘って略一定の傾斜角度を有していてもよい。また、本実施形態では、先端側傾斜面１１４と急傾斜面１１８、および急傾斜面１１８と基端側傾斜面１１６とが、それぞれ滑らかな湾曲面で接続されており、これにより、テーパ状外周面１０８の略全体が、滑らかに連続している。なお、先端側傾斜面１１４と急傾斜面１１８、および／または急傾斜面１１８と基端側傾斜面１１６とは、屈曲して接続されていてもよい。
【００５３】
このように、テーパ状外周面１０８に比較的傾斜角度の大きい急傾斜面１１８が設けられることで、シリンジ１２４の抜去時において、急傾斜面１１８に及ぼされるディスク弁１４の弾性的な復元力における軸方向成分を増大させることができることから、押し子１００をより安定して基端側に移動させることができる。
【００５４】
また、押し子１００の外周面１０３における軸方向中間部分、即ちストレート状外周面１０６には、外周側に突出する後方支持部１２０が設けられている。かかる後方支持部１２０は、周方向の略全周に亘って延びる略環状とされており、当該後方支持部１２０の先端側端面が軸直角方向に広がる環状面とされている。
【００５５】
そして、かかる押し子１００が接続コネクタ２８（内周コネクタ３６）に収容配置された状態において、内周コネクタ３６における係合突部（内周突部）６８と押し子１００における後方支持部１２０との軸方向間には、ばね部材として金属製のコイルスプリング１２２が、ストレート状外周面１０６の外周側に外挿されている。すなわち、かかるコイルスプリング１２２の先端側端部（前端部）が係合突部６８に固定されて支持されているとともに、コイルスプリング１２２の基端側端部（後端部）が後方支持部１２０に固定されて支持されている。したがって、本実施形態では、コイルスプリング１２２の前端部を支持する前方支持部が、係合突部（内周突部）６８により構成されている。そして、図２，３などに示されるシリンジ１２４の接続以前の初期状態において、かかるコイルスプリング１２２が、略非圧縮状態（略自然長）で配されている。
【００５６】
以上の如き構造とされた外周コネクタ３４と内周コネクタ３６とを含んで接続コネクタ２８が構成されており、当該接続コネクタ２８の内部に、ディスク弁１４および押し子１００が収容配置されている。
【００５７】
すなわち、内周コネクタ３６の先端側開口部から押し子１００が挿入されて配設される。その際、押し子１００の基端位置は、内周コネクタ３６の内周面６６に設けられた係合突部６８と、押し子１００の外周面１０３に設けられた段差面１０４とが相互に当接することで規定される。また、かかる押し子１００の収容状態では、押し子１００のストレート状外周面１０６と係合突部６８の内周面とが当接しているか僅かに離隔しているとともに、押し子１００のテーパ状外周面１０８の基端部分（基端側傾斜面１１６の基端部分、即ちテーパ状外周面１０８の最大外径部分）における外周面と内周コネクタ３６の案内面７０とが当接しているか僅かに離隔している。これにより、押し子１００が、内周コネクタ３６の内周面６６に案内されつつ、軸方向で移動可能とされている。
【００５８】
そして、かかる内周コネクタ３６の先端部分において、ディスク弁１４の筒状支持部９４が被せられて支持されている。すなわち、ディスク弁１４の基端側面９６に設けられた周溝９８内に、内周コネクタ３６の先端となる支持筒部７４の先端部分が挿入されている。本実施形態では、支持筒部７４の先端部分の内外周面が、周溝９８の内面を構成する内外周面にそれぞれ当接しているか、僅かに離隔している。なお、支持筒部７４の先端面と周溝９８の溝底面との軸方向間には隙間が設けられてもよい。
【００５９】
また、ディスク弁１４の筒状支持部９４における内周面が支持筒部７４の外周面に当接しており、ディスク弁１４の基端側に対して内周コネクタ３６の先端部分が嵌め入れられている。そして、本実施形態では、かかるディスク弁１４の支持状態において、ディスク弁１４の基端側面９６に対して押し子１００の先端が当接しており、押し子１００が、ディスク弁１４と係合突部６８との軸方向間で位置決めされている。なお、押し子１００の先端は、必ずしもディスク弁１４の基端側面９６と当接する必要はなく、押し子１００の先端とディスク弁１４の基端側面９６とが軸方向で相互に離隔していてもよい。
【００６０】
かかるディスク弁１４の先端側から外周コネクタ３４が組み付けられている。すなわち、先端にディスク弁１４を被せて支持した状態で内周コネクタ３６の先端部分を外周コネクタ３４の基端側開口部５８から挿入して、内周コネクタ３６の係合突起７６，７６を外周コネクタ３４の係合孔５６，５６に係合させることにより、外周コネクタ３４と内周コネクタ３６とが内外挿状態で、且つ軸方向で直列して略同一中心軸上で連結固定される。
【００６１】
本実施形態では、係合突起７６，７６の先端側端面が傾斜面７８，７８とされていることから、係合孔５６，５６内への係合突起７６，７６の嵌まり込みが容易とされている。また、係合突起７６，７６の基端側端面が垂直面８０，８０とされていることから、係合孔５６，５６からの係合突起７６，７６の抜出し、即ち外周コネクタ３４からの内周コネクタ３６の抜出しが防止されている。
【００６２】
また、本実施形態では、外周コネクタ３４の基端側開口部５８には、傾斜面６２，６２を含んで構成される傾斜溝６４，６４が形成されていることから、外周コネクタ３４への内周コネクタ３６の挿入に際して、傾斜溝６４，６４に係合突起７６，７６が差し入れられることで、外周コネクタ３４と内周コネクタ３６との周方向の相対回転が防止され得る。また、傾斜面６２，６２の案内作用によって係合突起７６，７６が安定して係合孔５６，５６まで案内されることから、係合突起７６，７６がより確実に係合孔５６，５６に係合され得る。
【００６３】
更にまた、内周コネクタ３６を外周コネクタ３４に挿入する際、外周コネクタ３４の基端側開口部５８に設けられた切欠き６０，６０に内周コネクタ３６の位置決め突起８２，８２を挿入することにより、外周コネクタ３４と内周コネクタ３６とが周方向で容易に位置決めされて、係合突起７６，７６が一層確実に係合孔５６，５６に係合され得る。
【００６４】
そして、かかる外周コネクタ３４と内周コネクタ３６との組付状態では、ディスク弁１４の外周部分が、相互に組み付けられた外周コネクタ３４と内周コネクタ３６との間で軸方向および軸直角方向に位置決めされて保持されることにより、ディスク弁１４が、外周コネクタ３４と内周コネクタ３６とに嵌め合わされた嵌合状態で組み付けられている。すなわち、ディスク弁１４の外周部分が、外周コネクタ３４に設けられた環状壁部５０の基端側端面である段差面５２と内周コネクタ３６の先端部分である支持筒部７４との軸方向間で挟持されている。また、ディスク弁１４において基端側に突出する筒状支持部９４が、外周コネクタ３４の周壁３８と支持筒部７４との径方向間において、好適には圧縮状態で挟持されている。さらに、ディスク弁１４が、外周コネクタ３４の周壁３８の、特に押圧リブ５４により、径方向内方に圧縮されて組み付けられている。
【００６５】
なお、これら外周コネクタ３４、内周コネクタ３６、ディスク弁１４および押し子１００の組付けを、例えば先端側を上方にして組み付けることにより、組付時における内周コネクタ３６からのディスク弁１４の脱落などが効果的に防止されて、組付効率の向上が図られ得るが、これらの部材を組み付ける際の方向などは何等限定されるものではない。
【００６６】
以上の如きカニューラ１２と針ハブ本体２４と弾性チューブ２６と内部にディスク弁１４および押し子１００を備える接続コネクタ２８とを軸方向で連結することにより、本実施形態の弁付き針組立体１０が構成されている。かかる弁付き針組立体１０は、例えば弁付き針組立体１０を外針ユニットとして、針先を備える内針を含んで構成される図示しない内針ユニットが挿通されることで止血弁付きの留置針組立体として使用される。すなわち、外針ユニット（弁付き針組立体）１０に内針ユニットが挿通された状態で患者の皮膚に穿刺された後、外針ユニット１０から内針ユニットを基端側に引き抜くことにより、患者の血管に外針ユニット１０が経皮的に挿し入れられた状態で留置される。または、カニューラ１２が、針先を有する金属製などの中空針とされることで、弁付き針組立体１０を患者の血管に直接穿刺して留置することも可能である。なお、かかる血管への留置状態では、弁付き針組立体１０の内部流路１８がディスク弁１４により遮断されている。
【００６７】
そして、かかる弁付き針組立体１０における接続コネクタ２８の基端側開口部（内周コネクタ３６の基端側開口部）８４に、外部流路として、例えばシリンジ１２４が接続される。これにより、図４，５に示されるように、シリンジ１２４などの雄ルアー１２６が押し子１００を先端側へ押し込んで、当該押し子１００の先端部分がディスク弁１４に挿入されることで、ディスク弁１４の中央部分９０が先端側に押し広げられつつディスク弁１４のスリット９２が開放されて、内部流路１８が連通状態とされるようになっている。これにより、カニューラ１２の内孔、弾性チューブ２６の内孔および押し子１００の内孔１０２を含んで構成される内部流路１８を通じて、輸液や採血、血液透析などが実施され得る。
【００６８】
本実施形態では、押し子１００の先端部分において基端側傾斜面１１６の軸方向中間部分から先端側がディスク弁１４に挿入されて中央部分９０が押し開かれるようになっており、かかる押し子１００の先端部分においてディスク弁１４と当接する部分が挿入領域１１２とされている。すなわち、押し子１００がディスク弁１４に挿入されることで、先端側に弾性変形せしめられたディスク弁１４と押し子１００の挿入領域１１２の外周面（テーパ面１１３）とが相互に当接するようになっており、挿入領域１１２の外周面（テーパ面１１３）、要するに先端側傾斜面１１４から基端側傾斜面１１６に跨って、ディスク弁１４の弾性的な復元力が及ぼされるようになっている。この結果、ディスク弁１４の弾性的な復元力により、押し子１００にはディスク弁１４（および当該ディスク弁１４を保持する接続コネクタ２８）に対して基端側に向かう方向の付勢力が及ぼされている。
【００６９】
特に、本実施形態では、かかるディスク弁１４の押し開き状態において、押し子１００の先端部分がディスク弁１４を貫通して当該ディスク弁１４から先端側（前方）に突出するようになっており、押し子１００の先端部分においてディスク弁１４を貫通する貫通先端部１２８が設けられている。すなわち、かかる貫通先端部１２８の外周面１３０は、先端側傾斜面１１４の先端部分により構成されており、貫通先端部１２８の外周面１３０を含んで押し子１００の先端部分の外周面であるテーパ状外周面１０８が構成されている。
【００７０】
また、かかるシリンジ１２４の接続状態、即ち押し子１００が先端側に移動した状態では、内周コネクタ３６における係合突部６８と押し子１００における後方支持部１２０とが軸方向で相互に接近せしめられることから、これら係合突部６８および後方支持部１２０間に設けられるコイルスプリング１２２が軸方向で圧縮される。したがって、このように押し子１００が先端側に移動した状態（ディスク弁１４を押し開いた状態）では、コイルスプリング１２２の弾性的な復元力により、押し子１００には、接続コネクタ２８に対して基端側に向かう方向の付勢力が及ぼされている。
【００７１】
一方、輸液や採血、血液透析の終了時または中断時において、接続コネクタ２８からシリンジ１２４を抜去することで、ディスク弁１４およびコイルスプリング１２２により及ぼされる付勢力に従い、押し子１００が基端側に移動せしめられるようになっている。すなわち、ディスク弁１４およびコイルスプリング１２２の弾性的な復元作用によりディスク弁１４およびコイルスプリング１２２が初期形状に復元変形せしめられるとともに、復元変形したディスク弁１４およびコイルスプリング１２２に押し戻されて、押し子１００が前記図１〜３に示される初期位置まで基端側に移動させられるようになっている。これにより、ディスク弁１４のスリット９２が閉塞せしめられて、内部流路１８が遮断状態とされるようになっている。なお、本実施形態では、かかる押し子１００の基端側への移動端が、押し子１００の外周面１０３に設けられた段差面１０４と、接続コネクタ２８（内周コネクタ３６）の内周面６６に設けられた係合突部６８との当接によって規定されるようになっている。
【００７２】
すなわち、本実施形態では、シリンジ１２４の抜去に伴い、ディスク弁１４の弾性的な復元力が押し子１００に対して基端側への押し戻し力として及ぼされるとともに、コイルスプリング１２２の弾性的な復元力が押し子１００に対して基端側への押し戻し力として及ぼされるようになっている。これにより、ディスク弁１４の復元力とコイルスプリング１２２の復元力とが協働して押し子１００を基端側に押し戻すことから、押し子１００が安定して基端側に移動するようになっている。
【００７３】
特に、コイルスプリング１２２による復元力を小さく抑えることができることから、コイルスプリング１２２、ひいては弁付き針組立体１０の小型化が図られる。それに加えて、コイルスプリング１２２を支持する接続コネクタ２８（内周コネクタ３６）や押し子１００に及ぼされるコイルスプリング１２２の復元力も小さく抑えられることから、接続コネクタ２８や押し子１００において必要とされる部材強度も小さく抑えられて、接続コネクタ２８や押し子１００の小型化も図られ得る。さらに、コイルスプリング１２２の復元力を小さく抑えることで、シリンジ１２４の挿入接続時に使用者が抵抗感（反発感）を感じるおそれも低減されて、操作性の向上が図られ得る。具体的には、ＩＳＯ規格の医療用雄テーパコネクタがＩＳＯ規格の医療用雌テーパコネクタである接続コネクタ２８（内周コネクタ３６）に挿入されてテーパ嵌合した際（本実施形態では、弾性弁体（ディスク弁１４）の押し開き状態）のコイルスプリング１２２の反発力Ｆが、従来構造の弁付き針組立体では約３００ｇｆより大きくされる（約３００ｇｆ＜Ｆ）のに対して、本実施形態では、１０ｇｆ＜Ｆ＜２００ｇｆの範囲内とすることができる。すなわち、本実施形態では、押し子１００のテーパ状外周面１０８にディスク弁１４が当接した状態でのコイルスプリング１２２の反発力Ｆが１０ｇｆ＜Ｆ＜２００ｇｆの範囲内に設定されている。具体的には、針ハブ１６の基端側端面から押し子１００の基端側端面までの距離が６ｍｍとなる押し子１００の先端側への移動位置において、圧縮せしめられたコイルスプリング１２２の反発力Ｆが、１０ｇｆ＜Ｆ＜２００ｇｆの範囲内に設定されている。
【００７４】
また、押し子１００の先端部分（挿入領域１１２）における外周面（テーパ面１１３）が先細のテーパ形状とされることから、ディスク弁１４の弾性的な復元力が、押し子１００の基端側への移動力として有効に及ぼされ得る。すなわち、前記特許文献１に記載された弁付き針組立体のように押し子の先端部分の外周面が略直線状とされる場合、相互に当接する押し子の外周面と弾性弁体（ディスク弁）との摩擦により押し子が基端側に戻りにくく、それ故にコイルスプリングの反発力を大きくしなければならないという問題があったが、本実施形態のように押し子１００の先端部分を先細のテーパ形状とすることで、ディスク弁１４の弾性的な復元力を、押し子１００の基端側への押し戻し力として効率的に得ることができる。特に、本実施形態では、押し子１００が、先端側への移動時にディスク弁１４を貫通して先端側へ突出する貫通先端部１２８を備えており、当該貫通先端部１２８の外周面１３０が先細のテーパ形状とされていることから、押し子１００の基端側への移動時にディスク弁１４と貫通先端部１２８の外周面１３０とが相互に当接することで、ディスク弁１４の弾性的な復元力を押し子１００の基端側への移動力として有効に得ることができる。
【００７５】
更にまた、上記の如き構成を採用することで、押し子１００が基端側に移動し易くなるが、押し子１００と接続コネクタ２８とが外周突部１１０および内周突部（係合突部）６８において相互に当接することで押し子１００の基端側への移動端が規定されることから、接続コネクタ２８からの押し子１００の脱落が効果的に防止され得る。
【００７６】
また、本実施形態では、接続コネクタ２８の係合突部６８と押し子１００の後方支持部１２０との軸方向間、即ち押し子１００における基端側にコイルスプリング１２２を配設していることから、例えば押し子１００の先端部分の外周側にコイルスプリング１２２が配設されることが回避される。それ故、ディスク弁１４に挿入される押し子１００の先端部分（挿入領域１１２）における形状設計自由度が向上されて、挿入領域１１２を適切な形状に設計することが可能となる。
【００７７】
特に、本実施形態では、接続コネクタ２８（内周コネクタ３６）の内周面６６から内周側に突出する係合突部６８を巧く利用して、上記の如き押し子１００の基端側への移動規制とコイルスプリング１２２の先端部の支持が両立して実現され得る。
【００７８】
さらに、本実施形態の針ハブ１６は接続コネクタ２８を含んで構成されており、当該接続コネクタ２８が、外周コネクタ３４と内周コネクタ３６とを相互に内外挿することで構成されている。そして、これら外周コネクタ３４と内周コネクタ３６との間にディスク弁１４が挟まれて支持されていることから、ディスク弁１４の接続コネクタ２８（内周コネクタ３６）への組付けが容易とされ得る。特に、ディスク弁１４には基端側に突出する筒状支持部９４が設けられており、当該筒状支持部９４が外周コネクタ３４と内周コネクタ３６との径方向間で圧縮状態で支持されることで、シリンジ１２４接続時、即ち押し子１００が先端側に移動した際の接続コネクタ２８からのディスク弁１４の先端側への抜落ちが効果的に防止され得る。
【００７９】
以上、本発明の実施形態について説明してきたが、本発明はかかる実施形態における具体的な記載によって限定的に解釈されるものでなく、当業者の知識に基づいて種々なる変更、修正、改良などを加えた態様で実施可能である。
【００８０】
たとえば、前記実施形態では、押し子１００の基端部分（ストレート状外周面１０６の形成部分）においてコイルスプリング（ばね部材）１２２が外挿されていたが、押し子１００の先端部分（テーパ状外周面１０８の形成部分）においてコイルスプリング１２２が外挿されてもよい。すなわち、例えば押し子１００の軸方向中間部分の外周面１０３に設けられた後方支持部１２０と、内周コネクタ３６の先端部分（例えば、支持筒部７４）の内周面（案内面７０）に設けられた前方支持部との軸方向間にコイルスプリング１２２が設けられてもよいし、かかるコイルスプリング１２２の先端側端部がディスク弁１４の基端側面９６に固定されてもよい。なお、かかる場合において、後方支持部１２０は押し子１００の基端側への移動を規制する外周突部１１０によって構成されてもよいし、外周突部１１０とは別個に形成されてもよい。尤も、かかるコイルスプリング１２２は、例えば前方支持部がディスク弁１４の基端側面９６によって構成されるとともに、後方支持部１２０が押し子１００の基端部分の外周面１０３に設けられることで、押し子１００の軸方向略全長に亘る長さ寸法をもって形成されてもよい。なお、コイルスプリング１２２の先端側端部がディスク弁１４に固定される場合、ディスク弁１４の弾性変形に伴いコイルスプリング１２２が傾いたりして安定しないおそれがあることから、コイルスプリング１２２の先端側端部は、内周コネクタ３６や押し子１００など硬質の部材に固定されることが好ましい。
【００８１】
また、ばね部材は、前記実施形態の如き金属製のコイルスプリング１２２に限定されるものではなく、ゴムやエラストマーによって形成されてもよい。さらに、ばね部材は、前記実施形態の如き線状（コイル状）に限定されるものではなく、蛇腹筒状やブロック状などであってもよい。
【００８２】
更にまた、前記実施形態では、シリンジ１２４が接続されることで（押し子１００が先端側に移動することで）ばね部材（コイルスプリング１２２）が圧縮変形する態様を例示したが、引張変形とされてもよい。すなわち、シリンジ１２４を抜去することでばね部材が初期形状に弾性的に復元変形せしめられて、これにより押し子１００に対して引き戻し力が及ぼされるようになっていてもよい。かかるシリンジ１２４の接続に伴い引張変形せしめられるコイルスプリング１２２は、例えば押し子１００の外周突部１１０と内周コネクタ３６の係合突部６８との軸方向間に設けられる。
【００８３】
さらに、前記実施形態では、テーパ状外周面１０８が、それぞれ傾斜角度の異なる先端側傾斜面１１４と基端側傾斜面１１６と急傾斜面１１８とを含んで構成されていたが、かかる態様に限定されるものではなく、例えば先端側傾斜面１１４または基端側傾斜面１１６と急傾斜面１１８との傾斜角度が等しくされて実質的に２つの傾斜面により構成されるようにしてもよいし、先端側傾斜面１１４と基端側傾斜面１１６の傾斜角度が等しくされてもよい。あるいは、各傾斜面１１４，１１６，１１８の傾斜角度がそれぞれ等しくされて、テーパ状外周面１０８が、実質的に単一の傾斜面から構成されるようになっていてもよい。尤も、急傾斜面１１８は軸直角方向に広がって段差状面とされてもよく（γ＝９０°）、かかる場合であっても、押し開かれたディスク弁１４が段差状面（急傾斜面１１８）に当接してディスク弁１４の弾性的な復元力が段差状面（急傾斜面１１８）に及ぼされることで、押し子１００に対して安定して基端側への押し戻し力が及ぼされる。すなわち、押し子１００の先端部分（挿入領域１１２）には段差状面が設けられてもよく、全体として先細形状となっていればよい。
【００８４】
なお、前記実施形態では、シリンジ１２４が接続された状態（押し子１００が先端側に移動した状態）において、押し子１００の最先端部が貫通先端部１２８とされてディスク弁１４を貫通して当該ディスク弁１４よりも先端側まで突出するようにされていたが、押し子１００の最先端部はディスク弁１４を貫通することなく、ディスク弁１４を押し開くようになっていてもよい。
【００８５】
また、前記実施形態では、急傾斜面１１８よりも先端側および基端側にそれぞれ先細状の先端側傾斜面１１４および基端側傾斜面１１６が設けられており、即ち先端側傾斜面１１４の傾斜角度αおよび基端側傾斜面１１６の傾斜角度βがそれぞれ０度〜９０度の範囲内とされていたが、かかる態様に限定されるものではない。たとえば、先端側傾斜面１１４の傾斜角度αおよび／または基端側傾斜面１１６の傾斜角度βは０度とされてもよく、即ち急傾斜面１１８よりも先端側および／または基端側は軸方向と平行に延びていてもよい。かかる場合であっても、少なくとも押し開かれたディスク弁１４と急傾斜面１１８とが当接して急傾斜面１１８にディスク弁１４の弾性的な復元力が及ぼされることで、押し子１００が安定して基端側に押し戻され得る。
【００８６】
なお、前記実施形態では、押し子１００の先端部分において先細形状を呈するテーパ状外周面１０８が、押し子１００の先端から軸方向で所定長さに亘って設けられていたが、例えば押し子１００の外周面１０３は、軸方向の略全長に亘る先細のテーパ形状とされてもよいし、１つまたは複数の段差状面を有する階段状とされてもよい。
【００８７】
また、前記実施形態では、針ハブ１６が、針ハブ本体２４と弾性チューブ２６と接続コネクタ２８とを含んで構成されていたが、例えば弾性チューブ２６は必須なものではなく、針ハブ本体２４と接続コネクタ２８とは一体的に形成されてもよい。すなわち、例えば接続コネクタ２８の先端からカニューラ１２が突出していてもよい。
【００８８】
さらに、前記実施形態では、接続コネクタ２８が、相互に内外挿される外周コネクタ３４と内周コネクタ３６とを含んで構成されていたが、例えば一体として形成されてもよい。また、別体の部材を相互に固定して形成する場合であっても、相互に内外挿される態様に限定されるものではなく、例えば軸方向で連結固定されてもよい。更にまた、別体の部材を相互に固定する固定手段は、前記実施形態の如き凹凸係合に限定されるものではなく、接着や溶着など従来公知の固定手段が何れも採用され得る。
【符号の説明】
【００８９】
１０：弁付き針組立体、１２：カニューラ（中空針）、１４：ディスク弁（弾性弁体）、１６：針ハブ、３４：外周コネクタ、３６：内周コネクタ、６６：針ハブ（内周コネクタ）の内周面、６８：係合突部（内周突部、前方支持部）、９４：筒状支持部、１００：押し子、１０３：押し子の外周面、１０８：テーパ状外周面（テーパ面）、１１０：外周突部、１１２：挿入領域、１１３：テーパ面（挿入領域の外周面）、１２０：後方支持部、１２２：コイルスプリング（ばね部材）、１２８：貫通先端部、１３０：貫通先端部の外周面
【図１】
2019084260.tif 000003
【図２】
2019084260.tif 000004
【図３】
2019084260.tif 000005
【図４】
2019084260.tif 000006
【図５】
2019084260.tif 000007